(57)【特許請求の範囲】
【請求項１】
弾性シートに切込みを入れて上方に開く弁体と弁孔を備えた開閉弁を多数形成して成る清掃用弁集合シートを使用し、バインダーで粒状骨材を固結して成る透水性表面材の上に上記清掃用弁集合シートを重ねてから、吸気ノズルの先端開口部を少なくとも一つの開閉弁に被せて吸気することを特徴とする透水性表面材の清掃方法。
【請求項２】
弾性シートに切込みを入れて上方に開く弁体と弁孔を備えた開閉弁を多数形成して成ることを特徴とする清掃用弁集合シート。
【請求項３】
弁体の側面を上方斜め外側へ傾斜する傾斜面とし、これに対応して弁孔の側面を下方斜め内側へ傾斜する傾斜面としたことを特徴とする請求項２に記載の清掃用弁集合シート。
【請求項４】
弁体の側面上部に鍔縁を形成し、この鍔縁を支持する段部を弁孔の孔縁に形成したことを特徴とする請求項２又は請求項３に記載の清掃用弁集合シート。
【発明の詳細な説明】
【０００１】
【発明の属する技術分野】
本発明は、粒状骨材をバインダーで固結した透水性表面材の清掃方法と、それに用いる清掃用弁集合シートに関する。
【０００２】
【従来の技術】
近年、歩道、公園、広場などにおいては、その水はけを良くすると共に景観を高めるため、粒状骨材をバインダーで固結した透水性表面材を敷設することが多くなってきた。また、歩道脇やアプローチなどの表面排水の目的で敷設する排水溝においても、従来の格子状の溝蓋やコンクリート製の溝蓋に代えて、上記の透水性表面材を用いた溝蓋を被せ、景観を高めると共に、ゴミや土砂が排水溝に入らないようにすることが多くなってきた。
【０００３】
このような透水性表面材は、雨水等が粒状骨材間の空隙を流下するとき、雨水等に含まれている土砂や微細なゴミが空隙に詰まるため、透水性が徐々に低下してくる。そのため透水性表面材を定期的に清掃し、粒状骨材間の空隙に詰まった土砂や微細なゴミを除去する必要がある。
【０００４】
そこで、取外し可能な透水性表面材については、これを取外して裏面からホースで水道水をかけることにより、また、取外し不可能な透水性表面材については上面からホースで水道水をかけることにより、透水性表面材を定期的に清掃しているが、このような清掃方法では次に述べるような問題があった。
【０００５】
【発明が解決しようとする課題】
即ち、透水性表面材の上面からホースで水道水をかける清掃方法では、透水性表面材の上面近くの空隙に詰まった土砂やゴミを除去できるだけであり、内部の奥深い空隙に詰まった土砂やゴミは殆ど除去できないという問題があった。
【０００６】
また、透水性表面材を取外して裏面からホースで水道水をかける清掃方法では、水道水の圧力をかなり高くしなければ、内部の空隙に詰まった土砂やゴミを表面側へ流し出せないという問題があり、しかも、透水性表面材を取外して清掃後に元の場所に敷設する作業が面倒で手間がかかるだけでなく、洗浄で汚れた水道水が周囲の透水性表面材に浸透しないように工夫しなければならないという問題があった。
【０００７】
本発明は上記の問題に鑑みてなされたもので、その目的とするところは、透水性表面材を取外すことなく、内部の奥深い空隙に詰まった土砂やゴミまで水道水を使用しないで簡単に除去することができる清掃方法と、この清掃方法に用いる弁集合シートを提供することにある。
【０００８】
【課題を解決するための手段】
上記目的を達成するため、本発明に係る透水性表面材の清掃方法は、弾性シートに切込みを入れて上方に開く弁体と弁孔を備えた開閉弁を多数形成して成る清掃用弁集合シートを使用し、バインダーで粒状骨材を固結して成る透水性表面材の上に上記清掃用弁集合シートを重ねてから、吸気ノズルの先端開口部を少なくとも一つの開閉弁に被せて吸気することを特徴とするものである。
【０００９】
そして、この清掃方法に使用する本発明の清掃用弁集合シートは、上記のように弾性シートに切込みを入れて上方に開く弁体と弁孔を備えた開閉弁を多数形成して成ることを特徴とするものである。この清掃用弁集合シートは、弁体の側面を上方斜め外側へ傾斜する傾斜面となし、これに対応して弁孔の側面を下方斜め内側へ傾斜する傾斜面とすることが望ましく、更に、弁体の側面上部に鍔縁を形成し、該鍔縁を支持する段部を弁孔の孔縁に形成することが望ましい。
【００１０】
本発明の清掃方法によれば、吸気ノズルで吸気していない清掃用弁集合シートの開閉弁は閉じたままであるが、吸気ノズルの先端開口部を被せて吸気した開閉弁は吸気による減圧で弁体が上方へ開き、この開いた開閉弁の直下に位置する透水性表面材の内部空隙及びその周辺の内部空隙に詰まっている土砂やゴミが、空隙内の空気と共に弁孔を通って吸気ノズルに吸引除去される。従って、吸気ノズルの先端開口部を順々に全ての開閉弁に被せて吸気する操作を繰り返せば、透水性表面材の全体を清掃することができる。
【００１１】
この場合、清掃用弁集合シートを重ねないで、吸気ノズルの先端開口部を透水性表面材の上面に直接接触させて吸気すると、バインダーで粒状骨材を固結して成る透水性表面材は、その上面が凸凹で吸気ノズルの先端開口部と気密的に接触しないため、その隙間から外気が吸気ノズルへ流入して減圧不足となり、透水性表面材の内部奥深い空隙に詰まった土砂やゴミまで吸引除去することが困難となる。
【００１２】
これに対し、本発明のように弾性シートに切込みを入れて開閉弁を形成した清掃用弁集合シートを透水性表面材に重ねると、該シートの弾性変形により吸気ノズルの先端開口部が該シート表面に少し食い込んだ状態で気密的に接触すると共に、吸気ノズルの先端開口部周辺のシート部分も、吸気による減圧で透水性表面材の上面に隙間が殆どない状態で吸着されることになる。従って、吸気ノズルの先端開口部と清掃用弁集合シートの間、及び、清掃用弁集合シートと透水性表面材との間から外気が吸気ノズルに流入することが殆どなく、吸気ノズルの内部が充分に減圧されるので、透水性表面材の内部の奥深い空隙に詰まった土砂やゴミまで吸引除去することが可能となる。
【００１３】
また、開閉弁の弁体の側面を上方斜め外側へ傾斜する傾斜面とし、これに対応して弁孔の側面を下方斜め内側へ傾斜する傾斜面にしてあると、弁体が閉じたときに弁体の側面と弁孔の側面が密接するため気密性が良くなり、しかも、吸気の際には弁体が上方へスムーズに開くようになる。そして、弁体の側面上部に鍔縁を形成し、該鍔縁を支持する段部を弁孔の孔縁に形成したものは、弁体が閉じたときの気密性が一層向上する利点がある。
【００１４】
【発明の実施の形態】
以下、図面を参照して本発明の具体的な実施形態を詳述する。
【００１５】
図１は本発明に係る透水性表面材の清掃方法の一実施形態を示す断面図、図２は本発明に係る清掃用弁集合シートの一実施形態を示す斜視図、図３は開閉弁の弁体が開いた状態の弁集合シートの部分斜視図、図４は図３のＡ−Ａ線断面図である。
【００１６】
図１において、１は歩道脇やアプローチ等に埋設したＵ字溝であり、このＵ字溝１はＢＭＣ（熱硬化性プラスチック）等で射出成形したものである。２はＵ字溝１に被せた溝蓋であり、この溝蓋２は、多数の透水孔３を底壁に形成した矩形の有底枠体４の内部に、矩形シート状の透水性表面材５を装着したものである。
【００１７】
この透水性表面材５は、平均粒径が３〜７ｍｍ程度の天然石を粒状骨材５１として使用し、これをアクリル系樹脂等の樹脂バインダーで矩形シート状に固結したものであって、粒状骨材５１間には水の通り道となる連続した内部空隙が形成されている。また、上記の有底枠体４はＵ字溝１と同様にＢＭＣ等で射出成形されたものである。
【００１８】
６は上記の透水性表面材５を清掃する時に重ねられる本発明の清掃用弁集合シートであって、図２〜図４に示すように、この弁集合シート６は弾性シート６１に略Ｕ字形の切込みを入れることにより、上方に開く舌片状の弁体６２ａと弁孔６２ｂを備えた多数の開閉弁６２を縦横に配列して形成したものである。弾性シート６１としては、例えばニトリルブタジエンゴム、シリコンゴム、クロロプレンゴムなどから成る厚さ１〜１０ｍｍ程度の柔軟な弾性シートが使用され、その伸び率が１５０〜７００％、ＪＩＳ硬度が１０〜４０程度のものが好適に使用される。
【００１９】
この清掃用弁集合シート６の開閉弁６２は、弁体６２ａの側面６２ｃを上方斜め外側へ傾斜する傾斜面に形成し、これに対応して弁孔６２ｂの側面６２ｄを下方斜め内側へ傾斜する傾斜面に形成することによって、弁体６２ａが閉じたときに弁体の側面６２ｃと弁孔の側面６２ｄが密接して良好な気密性が得られるようにしている。そして、弁体６２ａの側面６２ｃの上部に鍔縁６２ｅを形成し、該鍔縁６２ｅを支持する段部６２ｆを弁孔６２ｂの孔縁に形成して、弁体６２ａが閉じたときに気密性が更に向上するようにしている。また、弁体６２ａのヒンジ部分６２ｇを薄肉化して鍔縁６２ｅの厚さと同一にし、弁体６２ａがヒンジ部分６２ｇで容易に屈曲して上方へスムーズに開くようにしている。
【００２０】
上記の開閉弁６２のサイズや開閉弁６２の相互間隔は特に制限されないが、後述するように透水性表面材５の清掃を全体にムラなく効率的に行うためには、開閉弁６２の弁孔６２ｂの開口面積を０．５〜６ｃｍ2 程度に設定し、且つ、開閉弁６２の相互間隔を２〜１０ｃｍ程度に設定することが望ましい。
【００２１】
本発明の図１に示す実施形態の清掃方法は、以上のような構成の清掃用弁集合シート６を溝蓋２の透水性表面材５の上に重ね、図示のように吸気ノズル７の先端開口部７１を一つ以上（図１では二つ）の開閉弁６２に被せて吸気するものである。
【００２２】
このように吸気すると、吸気ノズル７の先端開口部７１を被せていない開閉弁６２は閉じたままであるが、吸気ノズル７の先端開口部７１を被せた開閉弁６２は、吸気による減圧で弁体６２ａが図示のように上方へ開く。特に、この開閉弁６２は、既述したように弁体６２ａのヒンジ部分６２ｇを薄肉化して屈曲しやすくすると共に、弁体６２ａの側面と弁孔６２ｂの側面を傾斜面に形成して弁体６２ａが上方へ開きやすいようにしてあるので、吸気すると弁体６２ａがヒンジ部分６２ｇで容易に屈曲してスムーズに上方へ開く。このように開閉弁６２の弁体６２ａが上方へ開くと、開閉弁６２の直下に位置する透水性表面材５の内部空隙及びその周辺の内部空隙に詰まっている土砂やゴミが、空隙内の空気と共に弁孔６２ｂを通って吸気ノズル７に吸引除去される。従って、吸気ノズル７の先端開口部７１を順々に全ての開閉弁６２に被せて吸気する操作を繰り返せば、透水性表面材５の全体を清掃することができる。その場合、開閉弁６２の弁孔６２ｂの開口面積が前述したように０．５〜６ｃｍ2 程度に設定され、且つ、開閉弁６２の相互間隔が２〜１０ｃｍ程度に設定されていると、開閉弁６２が１〜５個程度入る大きさの先端開口部７１を有する吸気ノズル７を用いて、透水性表面材５の清掃を全体にムラなく効率的に行うことができる。
【００２３】
上記のように透水性表面材５と吸気ノズル７の先端開口部７１との間に清掃用弁集合シート６を介在させて吸気すると、該シート６の弾性変形によって吸気ノズル７の先端開口部７１がシート表面に食い込んだ状態で気密的に接触する。そして、清掃用弁集合シート６のノズル先端開口部７１の周辺部分は、吸気による減圧で透水性表面材５の上面に吸着されて、シート６の裏面が透水性表面材５の凸凹のある上面に密接する。特に、この清掃用弁集合シート６は、既述したように開閉弁６２の弁体６２ａが閉じたときの気密性が良好でリークしにくいため、清掃用弁集合シート６のノズル先端開口部７１の周辺部分の吸着性が良く、シート６の裏面が透水性表面材５に強く密接する。従って、吸気時に、吸気ノズル７の先端開口部７１と清掃用弁集合シート６との間、及び、清掃用弁集合シート６と透水性表面材５との間から外気が吸気ノズル７へ流入しなくなり、吸気ノズル７の内部が充分に減圧されるので、透水性表面材５の内部の奥深い空隙に詰まった土砂やゴミまで残らず吸引除去することができる。
【００２４】
上記の実施形態は、Ｕ字溝１の溝蓋２の有底枠体４に装着された透水性表面材５を清掃する場合を例示したものであるが、歩道、公園、広場などに敷設された透水性表面材についても同様にして清掃できることは言うまでもない。
【００２５】
図５は本発明に係る清掃用弁集合シートの他の実施形態を示す部分平面図、図６は弁体が開いた状態のときの図５のＢ−Ｂ線断面図、図７は弁体が開いた状態のときの図５のＣ−Ｃ線断面図である。
【００２６】
この清掃用弁集合シート６は、弾性シート６１に略Ｃ字形の切込みを入れて、上方に開く弁体６２ａと弁孔６２ｂを備えた開閉弁６２を多数形成したものである。
【００２７】
この弁集合シートの開閉弁６２は、弁体６２ａのヒンジ部分６２ｇの肉厚を薄くしていないが、該ヒンジ部分６２ｇの幅を狭くしているため屈曲性が良好であり、吸気によって弁体６２ａが上方へスムーズに開くことができるようになっている。また、弁体６２ａの側面上部には鍔縁を形成していないが、弁体６２ａの側面６２ｃを上方斜め外側へ大きい傾斜角度で傾斜する傾斜面に形成し、これに対応して弁孔６２ｂの側面６２ｄを下方斜め内側へ大きい傾斜角度で傾斜する傾斜面に形成してあるため、弁体６２ａが閉じたときに弁体６２ａの側面６２ｃと弁孔６２ｂの側面６２ｄとが密接して良好な気密性が得られるようになっている。
【００２８】
このような清掃用弁集合シート６も、図２〜図４に示す実施形態の清掃用弁集合シート６と同様に使用され、ほぼ同様の作用効果を奏する。
【００２９】
【発明の効果】
以上の説明から明らかなように、本発明の清掃方法は、透水性表面材を取外すことなく、内部の奥深い空隙に詰まった土砂やゴミまで水道水を使用しないで簡単に除去することができるといった顕著な効果する。
【００３０】
また、本発明の清掃用弁集合シートは、弾性シートに切込みを入れるだけで簡単且つ安価に製造することができ、吸気時の開弁動作が滑らかで閉弁時の気密性も良好であり、吸気ノズルへの外気の流入を阻止して吸気ノズルの吸引作用を大幅に向上させることができるといった顕著な効果を奏する。
【図面の簡単な説明】
【図１】本発明に係る透水性表面材の清掃方法の一実施形態を示す断面図である。
【図２】本発明に係る弁集合シートの一実施形態を示す斜視図である。
【図３】開閉弁の弁体が開いた同実施形態の弁集合シートを示す部分斜視図である。
【図４】図３のＡ−Ａ線断面図である。
【図５】本発明に係る弁集合シートの他の実施形態を示す部分平面図である。
【図６】開閉弁の弁体が開いた状態のときの図５のＢ−Ｂ線断面図である。
【図７】開閉弁の弁体が開いた状態のときの図５のＣ−Ｃ線断面図である。
【符号の説明】
５  透水性表面材
５１  粒状骨材
６  清掃用弁集合シート
６１  弾性シート
６２  開閉弁
６２ａ  弁体
６２ｂ  弁孔
６２ｃ  弁体の側面
６２ｄ  弁孔の側面
６２ｅ  鍔縁
６２ｆ  段部
６２ｇ  ヒンジ部分
７  吸気ノズル
７１  吸気ノズルの先端開口部
【図１】
0003760324.tif 000002
【図２】
0003760324.tif 000003
【図３】
0003760324.tif 000004
【図４】
0003760324.tif 000005
【図５】
0003760324.tif 000006
【図６】
0003760324.tif 000007
【図７】
0003760324.tif 000008